【手続補正書】
【提出日】令和3年7月30日(2021.7.30)
【手続補正１】
【補正対象書類名】明細書
【補正対象項目名】発明の名称
【補正方法】変更
【補正の内容】
【発明の名称】造形物の製造方法および熱膨張性シート
【手続補正２】
【補正対象書類名】明細書
【補正対象項目名】０００１
【補正方法】変更
【補正の内容】
【０００１】
本発明は、造形物の製造方法および熱膨張性シートに関する。
【手続補正３】
【補正対象書類名】明細書
【補正対象項目名】０００９
【補正方法】変更
【補正の内容】
【０００９】
本発明の課題は、熱膨張層を厚膜化しても、厚み全体を効率的に膨張させることができる造形物の製造方法および熱膨張性シートを提供することである。
【手続補正４】
【補正対象書類名】明細書
【補正対象項目名】００１０
【補正方法】変更
【補正の内容】
【００１０】
上記課題を解決するため、本発明に係る第１の態様の造形物の製造方法は、所定の膨張開始温度以上に加熱されると膨張する熱膨張層が基材上に設けられた熱膨張性シートの一方の面に、所定の光が照射された場合に発熱する材料でパターン層を設ける第１工程と、前記パターン層に向けて前記光を照射する第２工程と、を有し、前記熱膨張層は、互いに膨張開始温度が異なる第１熱膨張層と第２熱膨張層とが積層された積層構造とされているとともに、前記第１熱膨張層と前記第２熱膨張層とのうち前記基材側に設けられた一方の熱膨張層が他方の熱膨張層よりも膨張開始温度が低く設定されており、かつ、前記他方の熱膨張層の厚さが厚いほど、前記一方の熱膨張層の膨張開始温度と前記他方の熱膨張層の膨張開始温度との差が大きく設定されており、前記第１工程は、熱膨張性シートにおいて前記基材上に前記熱膨張層が設けられている方の面に前記パターン層を設ける、ことを特徴とする。
また、本発明に係る第２の態様の造形物の製造方法は、所定の膨張開始温度以上に加熱されると膨張する熱膨張層が基材上に設けられた熱膨張性シートの一方の面に、所定の光が照射された場合に発熱する材料でパターン層を設ける第１工程と、前記パターン層に向けて前記光を照射する第２工程と、を有し、前記熱膨張層は、互いに膨張開始温度が異なる第１熱膨張層と第２熱膨張層とが積層された積層構造とされているとともに、前記第１熱膨張層と前記第２熱膨張層とのうち前記基材側に設けられた一方の熱膨張層が他方の熱膨張層よりも膨張開始温度が高く設定されており、かつ、前記一方の熱膨張層の厚さが厚いほど、前記他方の熱膨張層の膨張開始温度と前記他方の熱膨張層の膨張開始温度との差が大きく設定されており、前記第１工程は、前記熱膨張性シートにおいて前記熱膨張層が設けられている方の面とは反対側の面に前記パターン層を設ける、ことを特徴とする。
また、本発明に係る第３の態様の造形物の製造方法は、所定の膨張開始温度以上に加熱されると膨張する熱膨張層を基材上に設けることにより、熱膨張性シートを生成する第１工程と、前記熱膨張性シートの一方の面に、所定の光が照射された場合に発熱する材料でパターン層を設ける第２工程と、前記パターン層に向けて前記光を照射する第３工程と、を有し、前記第１工程は、互いに膨張開始温度が異なる第１熱膨張層と第２熱膨張層とが積層された積層構造となるように前記熱膨張層を設けるとともに、前記第２工程において前記パターン層が、前記熱膨張層が設けられる方の面に設けられる場合には前記第１熱膨張層と前記第２熱膨張層とのうち前記基材側に設けられる一方の熱膨張層が他方の熱膨張層よりも膨張開始温度を低く設定し、かつ、前記他方の熱膨張層の厚さが厚いほど、前記一方の熱膨張層の膨張開始温度と前記他方の熱膨張層の膨張開始温度との差が大きく設定する一方で、前記熱膨張層が設けられる方の面とは反対側の面に設けられる場合には前記第１熱膨張層と前記第２熱膨張層とのうち前記基材側に設けられる方の熱膨張層が他方の熱膨張層よりも膨張開始温度を高く設定し、かつ、前記一方の熱膨張層の厚さが厚いほど、前記他方の熱膨張層の膨張開始温度と前記他方の熱膨張層の膨張開始温度との差が大きく設定する、ことを特徴とする。
また、本発明に係る第４の態様の造形物の製造方法は、所定の膨張開始温度以上に加熱されると膨張する熱膨張層が基材上に設けられた熱膨張性シートの一方の面に、所定の光が照射された場合に発熱する材料でパターン層を設ける第１工程と、
前記パターン層に向けて前記光を照射する第２工程と、を有し、
前記熱膨張層は、互いに膨張開始温度が異なる第１熱膨張層と第２熱膨張層と第３熱膨張層とが積層された積層構造とされているとともに、前記第１熱膨張層と前記第２熱膨張層と第３熱膨張層とのうち前記基材の最も近接して設けられた一の熱膨張層と前記基材の最も離れて設けられた他の熱膨張層とが、残りの熱膨張層よりも膨張開始温度が高く設定されており、かつ、前記一の熱膨張層又は前記他の熱膨張層の厚さが厚いほど、前記一の熱膨張層の膨張開始温度と前記残りの熱膨張層の膨張開始温度との差が大きく設定されており、
前記第１工程は、前記熱膨張性シートの両面に前記パターン層を設ける、ことを特徴とする。
【手続補正５】
【補正対象書類名】特許請求の範囲
【補正対象項目名】全文
【補正方法】変更
【補正の内容】
【特許請求の範囲】
【請求項１】
所定の膨張開始温度以上に加熱されると膨張する熱膨張層が基材上に設けられた熱膨張性シートの一方の面に、所定の光が照射された場合に発熱する材料でパターン層を設ける第１工程と、
前記パターン層に向けて前記光を照射する第２工程と、を有し、
前記熱膨張層は、互いに膨張開始温度が異なる第１熱膨張層と第２熱膨張層とが積層された積層構造とされているとともに、前記第１熱膨張層と前記第２熱膨張層とのうち前記基材側に設けられた一方の熱膨張層が他方の熱膨張層よりも膨張開始温度が低く設定されており、かつ、前記他方の熱膨張層の厚さが厚いほど、前記一方の熱膨張層の膨張開始温度と前記他方の熱膨張層の膨張開始温度との差が大きく設定されており、
前記第１工程は、熱膨張性シートにおいて前記基材上に前記熱膨張層が設けられている方の面に前記パターン層を設ける、ことを特徴とする造形物の製造方法。
【請求項２】
所定の膨張開始温度以上に加熱されると膨張する熱膨張層が基材上に設けられた熱膨張性シートの一方の面に、所定の光が照射された場合に発熱する材料でパターン層を設ける第１工程と、
前記パターン層に向けて前記光を照射する第２工程と、を有し、
前記熱膨張層は、互いに膨張開始温度が異なる第１熱膨張層と第２熱膨張層とが積層された積層構造とされているとともに、前記第１熱膨張層と前記第２熱膨張層とのうち前記基材側に設けられた一方の熱膨張層が他方の熱膨張層よりも膨張開始温度が高く設定されており、かつ、前記一方の熱膨張層の厚さが厚いほど、前記他方の熱膨張層の膨張開始温度と前記他方の熱膨張層の膨張開始温度との差が大きく設定されており、
前記第１工程は、前記熱膨張性シートにおいて前記熱膨張層が設けられている方の面とは反対側の面に前記パターン層を設ける、ことを特徴とする造形物の製造方法。
【請求項３】
所定の膨張開始温度以上に加熱されると膨張する熱膨張層を基材上に設けることにより、熱膨張性シートを生成する第１工程と、
前記熱膨張性シートの一方の面に、所定の光が照射された場合に発熱する材料でパターン層を設ける第２工程と、
前記パターン層に向けて前記光を照射する第３工程と、を有し、
前記第１工程は、
互いに膨張開始温度が異なる第１熱膨張層と第２熱膨張層とが積層された積層構造となるように前記熱膨張層を設けるとともに、
前記第２工程において前記パターン層が、前記熱膨張層が設けられる方の面に設けられる場合には前記第１熱膨張層と前記第２熱膨張層とのうち前記基材側に設けられる一方の熱膨張層が他方の熱膨張層よりも膨張開始温度を低く設定し、かつ、前記他方の熱膨張層の厚さが厚いほど、前記一方の熱膨張層の膨張開始温度と前記他方の熱膨張層の膨張開始温度との差が大きく設定する一方で、前記熱膨張層が設けられる方の面とは反対側の面に設けられる場合には前記第１熱膨張層と前記第２熱膨張層とのうち前記基材側に設けられる方の熱膨張層が他方の熱膨張層よりも膨張開始温度を高く設定し、かつ、前記一方の熱膨張層の厚さが厚いほど、前記他方の熱膨張層の膨張開始温度と前記他方の熱膨張層の膨張開始温度との差が大きく設定する、ことを特徴とする造形物の製造方法。
【請求項４】
前記第１熱膨張層及び前記第２熱膨張層は、炭化水素を内包したマイクロカプセルを分散して含有し、
前記第１熱膨張層と前記第２熱膨張層との間で、前記マイクロカプセル内の炭化水素の沸点が異なる、ことを特徴とする請求項１から３のいずれか一項に記載の造形物の製造方法。
【請求項５】
所定の膨張開始温度以上に加熱されると膨張する熱膨張層が基材上に設けられた熱膨張性シートの一方の面に、所定の光が照射された場合に発熱する材料でパターン層を設ける第１工程と、
前記パターン層に向けて前記光を照射する第２工程と、を有し、
前記熱膨張層は、互いに膨張開始温度が異なる第１熱膨張層と第２熱膨張層と第３熱膨張層とが積層された積層構造とされているとともに、前記第１熱膨張層と前記第２熱膨張層と第３熱膨張層とのうち前記基材の最も近接して設けられた一の熱膨張層と前記基材の最も離れて設けられた他の熱膨張層とが、残りの熱膨張層よりも膨張開始温度が高く設定されており、かつ、前記一の熱膨張層又は前記他の熱膨張層の厚さが厚いほど、前記一の熱膨張層の膨張開始温度と前記残りの熱膨張層の膨張開始温度との差が大きく設定されており、
前記第１工程は、前記熱膨張性シートの両面に前記パターン層を設ける、ことを特徴とする造形物の製造方法。
【請求項６】
前記第１熱膨張層、前記第２熱膨張層及び前記第３熱膨張層は、炭化水素を内包したマイクロカプセルを分散して含有し、
前記一の熱膨張層又は前記他の熱膨張層と前記残りの熱膨張層との間で、前記マイクロカプセル内の炭化水素の沸点が異なる、ことを特徴とする請求項５に記載の造形物の製造方法。
【請求項７】
所定の膨張開始温度以上に加熱されると膨張する熱膨張層が基材上に設けられた熱膨張性シートであって、
前記熱膨張層は、
互いに膨張開始温度が異なる第１熱膨張層と第２熱膨張層とが積層された積層構造とされ、
前記熱膨張性シートにおいて前記基材上に前記熱膨張層が設けられている方の面に、所定の光が照射された場合に発熱する材料でパターン層を設けられる場合に、前記第１熱膨張層と前記第２熱膨張層とのうち前記基材側に設けられた一方の熱膨張層が他方の熱膨張層よりも膨張開始温度が低く設定されており、かつ、前記他方の熱膨張層の厚さが厚いほど、前記一方の熱膨張層の膨張開始温度と前記他方の熱膨張層の膨張開始温度との差が大きく設定されている、熱膨張性シート。
【請求項８】
所定の膨張開始温度以上に加熱されると膨張する熱膨張層が基材上に設けられた熱膨張性シートであって、
前記熱膨張層は、
互いに膨張開始温度が異なる第１熱膨張層と第２熱膨張層とが積層された積層構造とされ、
前記熱膨張性シートにおいて前記基材上に前記熱膨張層が設けられている方とは反対側の面に、所定の光が照射された場合に発熱する材料でパターン層を設けられる場合に、前記第１熱膨張層と前記第２熱膨張層とのうち前記基材側に設けられた一方の熱膨張層が他方の熱膨張層よりも膨張開始温度が高く設定されており、かつ、前記一方の熱膨張層の厚さが厚いほど、前記他方の熱膨張層の膨張開始温度と前記他方の熱膨張層の膨張開始温度との差が大きく設定されている、熱膨張性シート。
【請求項９】
所定の膨張開始温度以上に加熱されると膨張する熱膨張層が基材上に設けられた熱膨張性シートであって、
前記熱膨張層は、
互いに膨張開始温度が異なる第１熱膨張層と第２熱膨張層と第３熱膨張層が積層された積層構造とされ、
前記熱膨張性シートの両面に、所定の光が照射された場合に発熱する材料でパターン層を設けられる場合に、前記第１熱膨張層と前記第２熱膨張層と前記第３熱膨張層とのうち前記基材の最も近接して設けられた一の熱膨張層と前記基材の最も離れて設けられた他の熱膨張層とが、残りの熱膨張層よりも膨張開始温度が高く設定されており、かつ、前記一の熱膨張層又は前記他の熱膨張層の厚さが厚いほど、前記一の熱膨張層の膨張開始温度と前記残りの熱膨張層の膨張開始温度との差が大きく設定されている、熱膨張性シート。